(57)【特許請求の範囲】
【請求項１】
長尺の板状体の幅方向の一方の端部に複数の切込みを形成して模様部を構成し、前記模様部の切込みの最下部に切込みを形成して係合部を一体に構成した一方の組子板と、
長尺の板状体の幅方向の一方の端部に複数の切込みを形成して模様部を構成し、前記板状体の幅方向の他方の端部で、前記模様部に対応する位置に複数の切込みを形成して係合部を構成した他方の組子板とからなり、
前記一方の組子板の係合部と他方の組子板の係合部を係合して組み合わせ、前記一方の組子板と他方の組子板を組み合わせた状態で一方の端部側に前記一方の組子板の模様部と前記他方の組子板の模様部を表すことが可能であることを特徴とする組子飾り組立セット。  
【請求項２】
前記請求項１に記載の組子飾り組立セットを用い、前記組子飾り組立セットの一方の組子板と他方の組子板を係合して組み合わせたことを特徴とする組子飾り。
【請求項３】
長尺の板状体の幅方向の一方の端部に複数の切込みを形成して一方の係合部と一方の模様部を異なる位置に構成すると共に、前記一方の模様部の切込みの最下部に切込みを形成して他方の係合部を一体に構成し、前記板状体の幅方向の他方の端部で、前記一方の係合部に対応する位置に複数の切込みを形成して他方の模様部を構成した組子板からなり、
前記組子板同士を、それぞれ対応する他方の係合部と他方の係合部、一方の係合部と一方の係合部を係合させて組み合わせ、組子板を立体的に構成し、前記組子板同士を組み合わせた状態で組子板の一方の端部側に一方の模様部を、他方の端部側に他方の模様部を表すことが可能であることを特徴とする組子飾り組立セット。
【請求項４】
前記請求項３に記載の組子飾り組立セットを用い、前記組子飾り組立セットの組子板同士を係合して組み合わせたことを特徴とする組子飾り。
【発明の詳細な説明】
【技術分野】
【０００１】
本発明は、広く日本家屋で使用されている伝統的な組子飾りに関するもので、特に装飾性に優れ変化に富む組子板とそれを用いた組子飾りに関するものである。
【背景技術】
【０００２】
従来より組子は、長尺の組子板を縦横に組み合わせて格子状の形状としたものであり、障子、扉など建具の一部を装飾するものとして広く利用されている。また組子は平面的な幾何学模様を形成するものであり、通常組子板の表面に装飾を付するものではないが、表面に装飾を付したものとして特許文献１記載のものが提案されている。
【先行技術文献】
【特許文献】
【０００３】
【特許文献１】実用新案登録第３０６２９８８号公報
【０００４】
特許文献１記載の考案は、仏壇の内扉に嵌め込まれている障子の組子に関するもので、前面及び側面にスタンピングフォイルからの熱転写により箔押しをした桟を縦横の格子に組み合わせてその背面に粘着糊で剥離シート又は紗を添着した組子である。
この考案によれば、組子への紗の貼付作業を容易にし、更に組子の製造工程を合理化して、品質の安定した組子をより少ない作業負担で製造できるようにするという効果を奏する。
【発明の概要】
【発明が解決しようとする課題】
【０００５】
前記特許文献１記載の考案において、組子への装飾を施す場合に熱転写により箔押しをしたり粘着糊で剥離シート又は紗を添着する等、手間がかかると共にこれらの装飾はいずれ経年劣化するものであった。
本発明は上記の従来例の問題点を解決するもので、組子板に直接装飾部を構成した装飾性に優れた組子板とその組子板を組み合わせた組子装飾を提供することを目的とする。
【課題を解決するための手段】
【０００６】
請求項１に記載の発明は、長尺の板状体の幅方向の一方の端部に複数の切込みを形成して模様部を構成し、前記模様部の切込みの最下部に切込みを形成して係合部を一体に構成した一方の組子板と、長尺の板状体の幅方向の一方の端部に複数の切込みを形成して模様部を構成し、前記板状体の幅方向の他方の端部で、前記模様部に対応する位置に複数の切込みを形成して係合部を構成した他方の組子板とからなり、前記一方の組子板の係合部と他方の組子板の係合部を係合して組み合わせ、前記一方の組子板と他方の組子板を組み合わせた状態で一方の端部側に前記一方の組子板の模様部と前記他方の組子板の模様部を表すことが可能であることを特徴とする組子飾り組立セットである。  
【０００７】
請求項２に記載の発明は、前記請求項１に記載の組子飾り組立セットを用い、前記組子飾り組立セットの一方の組子板と他方の組子板を係合して組み合わせたことを特徴とする組子飾りである。
【０００８】
請求項３に記載の発明は、長尺の板状体の幅方向の一方の端部に複数の切込みを形成して一方の係合部と一方の模様部を異なる位置に構成すると共に、前記一方の模様部の切込みの最下部に切込みを形成して他方の係合部を一体に構成し、前記板状体の幅方向の他方の端部で、前記一方の係合部に対応する位置に複数の切込みを形成して他方の模様部を構成した組子板からなり、前記組子板同士を、それぞれ対応する他方の係合部と他方の係合部、一方の係合部と一方の係合部を係合させて組み合わせ、組子板を立体的に構成し、前記組子板同士を組み合わせた状態で組子板の一方の端部側に一方の模様部を、他方の端部側に他方の模様部を表すことが可能であることを特徴とする組子飾り組立セットである。
【０００９】
請求項４に記載の発明は、前記請求項３に記載の組子飾り組立セットを用い、前記組子飾り組立セットの組子板同士を係合して組み合わせたことを特徴とする組子飾りである。
【発明の効果】
【００１５】
請求項１記載の組子飾り組み立てセット及び請求項２記載の組子飾りによれば、長尺の板状体の幅方向の一方の端部に複数の切込みを形成して模様部を構成し、前記模様部の切込みの最下部に切込みを形成して係合部を一体に構成した一方の組子板と、長尺の板状体の幅方向の一方の端部に複数の切込みを形成して模様部を構成し、前記板状体の幅方向の他方の端部で、前記模様部に対応する位置に複数の切込みを形成して係合部を構成した他方の組子板を構成し、前記一方の組子板の係合部と他方の組子板の係合部を係合して組み合わせ、組子板の交差位置に切込みによる立体的な模様部をあらわすことで高い装飾性を有する組子飾りが得られる。
また、模様部を切込みによって構成することで立体的な装飾性に優れ、かつ他の装飾を施すことなく組子板を組み合わせるだけで変化に富んだ永久的な組子装飾を製作することができる。
【００１６】
請求項３記載の組子飾り組み立てセット及び請求項４記載の組子飾りによれば、長尺の板状体の幅方向の一方の端部に複数の切込みを形成して一方の係合部と一方の模様部を異なる位置に構成すると共に、前記一方の模様部の切込みの最下部に切込みを形成して他方の係合部を一体に構成し、前記板状体の幅方向の他方の端部で、前記一方の係合部に対応する位置に複数の切込みを形成して他方の模様部を構成した組子板を構成し、前記組子板同士を、それぞれ対応する他方の係合部と他方の係合部、一方の係合部と一方の係合部を係合させて組み合わせることにより組子飾りを立体的に組み合わせることができ装飾的価値に優れた組子飾りを得られるという効果を奏する。
【図面の簡単な説明】
【００１９】
【図１】第１組子板の正面図
【図２】第１組子板の斜視図
【図３】第２組子板の正面図
【図４】第２組子板の斜視図
【図５】第１組子飾りの平面図（Ａ）と斜視図（Ｂ）
【図６】第３組子板の正面図
【図７】第３組子板の斜視図
【図８】第４組子板の正面図
【図９】第４組子板の斜視図
【図１０】第２組子飾りの平面図（Ａ）と斜視図（Ｂ）
【図１１】第５組子板の斜視図
【図１２】第５組子板の正面図
【図１３】第６組子板の斜視図
【図１４】第６組子板の正面図
【図１５】第３組子飾りの平面図（Ａ）とＩ−Ｉ線断面図（Ｂ）
【図１６】第７組子板の正面図
【図１７】第７組子板の斜視図
【図１８】第４組子飾りの組み立て説明図
【図１９】第４組子飾りの組み立てた状態の概略斜視図
【図２０】図１９のII−II線断面図
【図２１】第４組子飾りの全体斜視図
【図２２】第１組子飾りの他例を示す一部切欠き斜視図
【発明を実施するための形態】
【００２０】
図１乃至図５及び図２２に基づいて実施形態１の組子飾りを説明する。
本実施形態の第１組子飾りＫ１は、第１組子板１１と第２組子板１２を使用して、それらを直交して係合させて構成する。
【００２１】
図１、図２に示すように、第１組子板１１は一定の幅Ｄと厚さを有する長尺の薄い板状体であり、板状体の上端部１１ａに切込みを形成して複数の第１模様部１５と複数の第１係合部１６とを一定のピッチＰ２、Ｐ１を有して構成してある。
なお、各実施形態を示す図では、組子板は長尺であるためその一部だけを示してある。
【００２２】
前記第１模様部１５の切込みは２段からなり、長い切込みからなる上段１５ａの中央に短い切込みからなる下段１５ｂを形成してある。第１模様部１５の切込みの形状は、この実施形態に限定されず任意に決められる。
【００２３】
図３、図４に示すように、第２組子板１２は一定の幅Ｄと厚さを有する長尺の薄い板状体であり、前記板状体の下端部１２ｂに切込みを形成して複数の第２係合部１８を一定のピッチＰ３を有して構成してある。
前記板状体の上端部１２ａに切込みを形成して複数の第２模様部１７を一定のピッチＰ４を有して構成する。前記第２模様部１７は、前記第２係合部１８，１８の中間位置に構成する。
前記第２模様部１７の切込みは、前記第１模様部１５と同様の形状であるが、この実施形態に限定されず任意に決められる。
【００２４】
上記のように構成した第１組子板１１の上から第２組子板１２を組み合わせて第１組子飾りＫ１を製作する。
すなわち複数の第１組子板１１の第１係合部１６，１６・・と、複数の第２組子板１２の第２係合部１８，１８・・を係合させて組子板同士を直交させて、図５のような格子状の第１組子飾りＫ１を構成する。
【００２５】
この実施形態では、第１係合部１６，１６間のピッチＰ１と第２係合部１８，１８間のピッチＰ３が等しいので正面視正方形の格子状を呈し、第１模様部１５は、第１組子板１１と第２組子板１２の交差位置以外の部分に等間隔に配置されている。
また前記第１係合部１６、第２係合部１８の切込みの深さを同一に構成してあるため、第１組子板１１の上端部１１ａと第２組子板１２の上端部１２ａは同一面となっている。
【００２６】
上記のように構成した本実施形態は、第１模様部１５が第１組子板１１と第２組子板１２への切込みによって構成されているため、第１模様部１５が立体的であり光の陰影を効果的に利用することができ、かつ第１模様部１５の形状が経年劣化等で変化することはなく、あたかもレース模様のような美的効果を有する美麗で斬新なデザインの組子飾りを得ることができる。
【００２７】
各模様部１５、１７の形状を、例えば円形、四角形、Ｖ字型等のカットとし、カットの位置、角度、方向を任意に組み合わせることで、さらに変化に富むのである。そのため、従来の組子飾りでは表現できなかった、バラやカーネーション等の西洋の花も表現可能となった。
【００２８】
さらに図２２に示すように、前記組子飾りを展開して、枠体１９，１９の中に第１組子板１１と第２組子板１２を斜めに交差するように組み合わせて、全体として三角形状の飾りを構成する。
前記各組子板１１、１２の構成する空間部１９ａに組子細工からなる装飾体１９ｂを取り付けることができる。また図示はしないが電球、ＬＥＤ等の発光体を取り付けることで、例えばクリスマスツリーのような、和風の組子飾りの概念を超越した外国人にも違和感なく受け入れられる美麗な装飾体を得ることができる。
【００２９】
図６乃至図１０に基づき実施形態２の組子飾りを説明する。
本実施形態の第２組子飾りＫ２は、第３組子板２１と第４組子板２２を使用して、それらを直交して係合させて構成する。
【００３０】
図６、図７に示すように、第３組子板２１は一定の幅Ｄと厚さを有する長尺の薄い板状体であり、板状体の上端部２１ａに切込みを形成して複数の第３模様部２５と第３係合部２６を一定のピッチＰ５を有して構成してある。  
【００３１】
前記第３模様部２５の切込みは２段からなり、長い切込みからなる上段２５ａの中央に短い切込みからなる下段２５ｂを形成してある。さらに下段２５ｂの中央に切込みを構成して第３係合部２６を第３模様部２５と一体に構成する。前記第３模様部２５の切り込みの形状は、この実施形態に限定されず任意に決められる。
【００３２】
図８、図９に示すように、第４組子板２２は一定の幅Ｄと厚さを有する長尺の薄い板状体であり、前記板状体の下端部２２ｂに切込みを形成して複数の第４係合部２８を一定のピッチＰ６を有して構成してある。
前記第４係合部２８に対向した位置に前記板状体の上端部２２ａに切込みを形成して第４模様部２７を構成する。  
【００３３】
前記第４模様部２７の切込みは２段からなり、長い切込みからなる上段２７ａの中央に短い切込みからなる下段２７ｂを形成している。この下段２７ｂに対向して第４係合部２８を構成する。第４模様部２７の切り込みの形状は、この実施形態に限定されず任意に決められる。
【００３４】
上記のように構成した第３組子板２１の上から第４組子板２２を組み合わせて第２組子飾りＫ２を製作する。
すなわち複数の第３組子板２１の第３係合部２６，２６・・と、複数の第４組子板２２の第４係合部２８，２８・・を係合させて組子板同士を直交させて、図１０のように格子状の第２組子飾りＫ２を構成する。
【００３５】
この実施形態では、第３係合部２６，２６間のピッチＰ５と第４係合部２８，２８間のピッチＰ６が等しいので正面視正方形の格子状を呈し、各模様部２５、２７も等間隔に配置され、第３組子板２１と第４組子板２２の交差位置に形成される。
また前記第３係合部２６、第４係合部２８の切込みの深さを同一に構成してあるため、第３組子板２１の上端部２１ａと第４組子板２２の上端部２２ａは同一面となる。
【００３６】
上記のように構成した本実施形態は、模様部が第３組子板２１と第４組子板２２の交差位置に形成される点で、前記実施形態１と異なった美観を有する装飾体を提供でき、その他は実施形態１と同様の効果を奏するため説明を省略する。
【００３７】
図１１乃至図１５に基づいて実施形態３の組子飾りを説明する。
第３組子飾りＫ３は、前記実施形態１の第１組子板１１と第２組子板１２を利用したものであり、係合部の切込みの形状が傾斜していることと模様部１５が下端部にも形成されている点で異なり、同一の構成部分は同一の符号を付して説明を省略する。
【００３８】
図１１、図１２に示すように、第５組子板３１の上端部３１ａに切込みを形成して複数の第１模様部１５を一定のピッチＰ２を有して構成し、この第１模様部１５の中間に切込みを形成して複数の第５係合部１６ａを一定のピッチＰ１を有して構成する。この第５係合部１６ａは第５組子板３１を垂直方向に対してα度倒してβ度の角度で切り込まれている。そして、下端部３１ｂの前記上端部３１ａの第１模様部１５に対向する位置に、同形状の第１模様部１５を構成する。
【００３９】
同様に、図１３、図１４に示すように、第６組子板３２の上端部３２ａに切込みを形成して複数の第１模様部１５を一定のピッチＰ２を有して構成し、下端部３２ｂに切込みを形成して複数の第６係合部１８ａを一定のピッチＰ１を有して構成する。この第６係合部１８ａは第６組子板３２を垂直方向に対してα度倒してβ度の角度で切り込まれている。
そして、下端部３２ｂの前記上端部３２ａの第１模様部１５に対向する位置に、同形状の第１模様部１５を構成する。
本実施形態では、前記角度αを４５度、角度βを６０度としたが、これに限定されず角度α、角度βは任意に決定できる。
【００４０】
第３組子飾りＫ３の組み立てに際しては、前記各係合部１６ａ、１８ａの切込みを斜め方向に係合して組み立てるもので、図１５（Ａ）の平面図に示すように、第５組子板３１の幅の表面３１ｃと第６組子板３２の幅の表面３２ｃが正面より見えるのであり、この部分からも装飾的効果を有し、前記実施形態１の効果に加えてさらに斬新なデザインとなるのである。
また前記第１模様部１５を各組子板３１、３２の上端と下端の両方に構成したが、組子板が傾斜して組み合わされるために、下端の模様部も正面から見ることができ装飾的効果を有するのである。
特に本実施形態では、組子板が傾斜しているため、窓のブラインド状が縦横になり、レース模様の効果が一層引き立つのである。
【００４１】
また、前記第３組子飾りＫ３は、第１組子飾りＫ１を利用して説明したが、第２組子飾りＫ２を用いて作成することもできる。さらに後述の第４組子飾りＫ４を用いて作成することもできる。
【００４２】
図１６乃至図２１に基づいて実施形態４の組子飾りを説明する。
本実施形態の第４組子飾りＫ４は、第７組子板４１を使用して、それらを複数枚係合することで構成される。
【００４３】
図１６、図１７に示すように、第７組子板４１は一定の幅Ｄ１と厚さを有する長尺の薄い板状体であり、板状体の上端部４１ａに切込みを形成し一定のピッチＰ７を有して複数の第５模様部４５と第７係合部４６を構成してある。
【００４４】
前記第５模様部４５は２段からなり、長い切込みからなる上段４５ａの中央に短い切込みからなる下段４５ｂを形成している。さらに下段４５ｂの中央を切り込んで最下部に第７係合部４６を一体に構成する。第５模様部４５の切り込みの形状は、この実施形態に限定されず任意に決められる。
【００４５】
前記第５模様部４５，４５の中間位置には切込みからなる第８係合部４８を構成し、この第８係合部４８もピッチＰ７を有して複数構成されている。
【００４６】
板状体の下端部４１ｂに切込みを形成しピッチＰ７を有して複数の第６模様部４７を構成してある。この第６模様部４７は２段からなり、長い切込みからなる上段４７ａの中央に短い切込みからなる下段４７ｂを形成していて、前記第８係合部４８に対向する位置に構成する。
【００４７】
上記のように構成した第７組子板４１，４１・・同士を組み合わせて第４組子飾りＫ４を製作する。前記第７組子板４１はすべての係合部同士で係合することができるが、図が複雑になるため、図１８乃至図２０では第７組子板４１を一部省略して記載した。
【００４８】
図１８において、横桟となる組子板４１（２０２、２０３）の第８係合部４８と、柱となる組子板４１（２０５、２０７）の第８係合部４８とを係合させ、組子板４１（２０１）の第７係合部４６と、柱となる組子板４１（２０５、２０７）の第７係合部４６とを係合させて組子飾りユニットＫ４１を構成する。
【００４９】
同様に横桟となる組子板４１（２１１、２１３）の第７係合部４６と、柱となる組子板４１（２１６、２１７）の第７係合部４６とを係合させ、同時に組子板４１（２１１、２１３）の第８係合部４８と、柱となる組子板４１（２１５）の第８係合部４８とを係合させ、さらに組子板４１（２１２）の第７係合部４６と、柱となる組子板４１（２１５）の第７係合部４６とを係合させて組子飾りユニットＫ４２を構成する。
【００５０】
前記組子飾りユニットＫ４１に対し、組子飾りユニットＫ４２を次のように組み合わせる。
組子飾りユニットＫ４１の組子板４１（２０１）の各係合部４８と、組子飾りユニットＫ４２の組子板４１（２１６）各係合部４８同士を係合させ、その他の対向する係合部もそれぞれ係合して組み合わせる。
図１９及び図２０の組子飾りＫ４は組み立てた状態の一例を示すもので空間部にボール１０１、１０２を配置し装飾性を高めた。
【００５１】
図２１に組子飾りＫ４の全体図を示す。これは前記組子飾りユニットを複数組み合わせたものであり、内部の空間にボールを配置している。
組子飾りを立体的に構成するときに、例えば外側に低い組子を配置し中央に高い組子を組み合わせれば全体として山の形あるいはクリスマスツリーのような形状となる。また、中央の組子を減らして空間を設けてそこにライトを入れることもできる。
【００５２】
本実施形態の効果は、実施形態１と同様の効果に加えて、組み合わせが立体的になるため意表を突いたデザインが創出され興趣に尽きない。
組子板の幅、模様部、係合部の位置により、組子飾りを立体化するが、その形状は四角柱だけでなく、球状、ツリー状、あるいは円筒状等の組子飾りを構成することができるのである。
【符号の説明】
【００５３】
１１  第１組子板            １２  第２組子板
２１  第３組子板            ２２  第４組子板
３１  第５組子板            ３２  第６組子板
４１  第７組子板
１１ａ  上端部              
１２ａ  上端部              １２ｂ  下端部
２１ａ  上端部              
２２ａ  上端部              ２２ｂ  下端部
３１ａ  上端部              ３１ｂ  下端部
３２ａ  上端部              ３２ｂ  下端部
４１ａ  上端部              ４１ｂ  下端部
１５  第１模様部            １６  第１係合部
１７  第２模様部            １８  第２係合部
２５  第３模様部            ２６  第３係合部
２７  第４模様部            ２８  第４係合部
４５  第５模様部            １６ａ  第５係合部
４７  第６模様部            １８ａ  第６係合部
４６  第７係合部            ４８  第８係合部
Ｋ１  第１組子飾り      Ｋ２  第２組子飾り
Ｋ３  第３組子飾り      Ｋ４  第４組子飾り
【要約】
【課題】  組子板に直接装飾部を構成した装飾性に優れた組子板とその組子板を組み合わせた組子装飾を提供する。
【解決手段】  板状体の幅方向の上端部に複数の切込みを形成して第１係合部と第１模様部を異なる位置に構成した組子板と、板状体の幅方向の上端部に複数の切込みを形成して第２模様部を構成し、前記板状体の幅方向の下端部に複数の切込みを形成して第２係合部を異なる位置に構成した組子板と、それらを係合して組み合わせ上面に第１模様部と第２模様部を表した組子飾り。
【選択図】図５【図１】
0005676810.tif 000002
【図２】
0005676810.tif 000003
【図３】
0005676810.tif 000004
【図４】
0005676810.tif 000005
【図５】
0005676810.tif 000006
【図６】
0005676810.tif 000007
【図７】
0005676810.tif 000008
【図８】
0005676810.tif 000009
【図９】
0005676810.tif 000010
【図１０】
0005676810.tif 000011
【図１１】
0005676810.tif 000012
【図１２】
0005676810.tif 000013
【図１３】
0005676810.tif 000014
【図１４】
0005676810.tif 000015
【図１５】
0005676810.tif 000016
【図１６】
0005676810.tif 000017
【図１７】
0005676810.tif 000018
【図１８】
0005676810.tif 000019
【図１９】
0005676810.tif 000020
【図２０】
0005676810.tif 000021
【図２１】
0005676810.tif 000022
【図２２】
0005676810.tif 000023